【手続補正書】
【提出日】平成20年2月6日(2008.2.6)
【手続補正１】
【補正対象書類名】特許請求の範囲
【補正対象項目名】全文
【補正方法】変更
【補正の内容】
【特許請求の範囲】
【請求項１】
複数の鍵から成る鍵盤と、
１つの音色について上記鍵盤に対する波形データの割当て状態を表わす波形割当て画面を表示する画面表示手段と、
上記波形割当て画面の表示に対応してモード設定操作が可能となる第１乃至第３の操作手段と、
第１の操作手段の操作に応じて波形選択モードを設定する波形選択モード設定手段と、
上記波形選択モードにおける上記鍵盤の鍵操作に応じて、操作された鍵に割り当てられている波形データを割当て編集対象として選択し、選択された波形データの割当て状態を編集可能とする波形選択手段と、
第２の操作手段の操作に応じて最低鍵選択モードを設定する最低鍵選択モード設定手段と、
第３の操作手段の操作に応じて最高鍵選択モードを設定する最高鍵選択モード設定手段と、
上記最低鍵選択モード或いは最高鍵選択モードにおける上記鍵盤の鍵操作に応じて、それぞれ、操作された鍵を、上記選択中の波形データが割り当てられている鍵域の最低音高鍵或いは最高音高鍵に設定する鍵域設定手段であって、当該最低音高鍵或いは最高音高鍵は、他の波形データについて既に設定されている鍵域には重複して設定されることがないものと
を具備することを特徴とする電子楽器。
【請求項２】
前記表示手段により表示される割当て状態は、波形データを指示する波形名情報及び当該波形データが割り当てられている鍵域を表わす鍵域情報を含むことを特徴とする請求項１に記載の電子楽器。
【請求項３】
複数の鍵から成る鍵盤及び第１乃至第３の操作手段を具備し電子楽器として機能するコンピュータに、
１つの音色について上記鍵盤に対する波形データの割当て状態を表わす波形割当て画面を表示する画面表示ステップと、
上記波形割当て画面の表示に対応して第１乃至第３の操作手段によるモード設定操作を可能とする操作可能化ステップと、
第１の操作手段の操作に応じて波形選択モードを設定する波形選択モード設定ステップと、
上記波形選択モードにおける上記鍵盤の鍵操作に応じて、操作された鍵に割り当てられている波形データを割当て編集対象として選択し、選択された波形データの割当て状態を編集可能とする波形選択ステップと、
第２の操作手段の操作に応じて最低鍵選択モードを設定する最低鍵選択モード設定ステップと、
第３の操作手段の操作に応じて最高鍵選択モードを設定する最高鍵選択モード設定ステップと、
上記最低鍵選択モード或いは最高鍵選択モードにおける上記鍵盤の鍵操作に応じて、それぞれ、操作された鍵を、上記選択中の波形データが割り当てられている鍵域の最低音高鍵或いは最高音高鍵に設定する鍵域設定ステップであって、当該最低音高鍵或いは最高音高鍵は、他の波形データについて既に設定されている鍵域には重複して設定されることがないものと
から成る手順を実行させる波形割当てプログラム。
【手続補正２】
【補正対象書類名】明細書
【補正対象項目名】０００４
【補正方法】変更
【補正の内容】
【０００４】
電子楽器の鍵盤には、例えば６１鍵というような多数の鍵が備えられ、例えば、ドラム音色のように、異なる波形データが各鍵１つずつに割り当てられていると、波形データの選択肢もその鍵数だけあるため、目的の波形データを見つけるのが容易ではない。
【手続補正３】
【補正対象書類名】明細書
【補正対象項目名】０００７
【補正方法】変更
【補正の内容】
【０００７】
この発明の１つの特徴に従うと、複数の鍵（Ｃ１〜Ｃ６）から成る鍵盤（１４）と、１つの音色〔第１ピアノ音色、ドラム音色など（［００４１］）〕について鍵盤（１４）に対する波形データの割当て状態（Ａｗ）を表わす波形割当て画面（Ｗｅ）を表示する画面表示手段（１６；Ｓ０）と、波形割当て画面（Ｗｅ）の表示に対応してモード設定操作が可能となる第１乃至第３の操作手段（ＤＲｗ，ＤＲｓ，ＤＲｅ；Ｓ０）と、第１の操作手段（ＤＲｗ）の操作に応じて波形選択モードを設定する波形選択モード設定手段（Ｓ４）と、波形選択モードにおける鍵盤（１４）の鍵操作に応じて、操作された鍵に割り当てられている波形データを割当て編集対象として選択し（Ｓｅ１）、選択された波形データの割当て状態を編集可能とする波形選択手段（Ｓ１０）と、第２の操作手段（ＤＲｓ）の操作に応じて最低鍵選択モード（スタートキー選択モード）を設定する最低鍵選択モード設定手段（Ｓ６）と、第３の操作手段（ＤＲｅ）の操作に応じて最高鍵選択モード（エンドキー選択モード）を設定する最高鍵選択モード設定手段（Ｓ８）と、最低鍵選択モード或いは最高鍵選択モードにおける鍵盤（１４）の鍵操作に応じて、それぞれ、操作された鍵を、選択中の波形データが割り当てられている鍵域の最低音高鍵（スタートキー）或いは最高音高鍵（エンドキー）に設定する鍵域設定手段（Ｓ１０）であって、当該最低音高鍵（スタートキー）或いは最高音高鍵（エンドキー）は、他の波形データについて既に設定されている鍵域（スタートキー〜エンドキーの範囲）には重複して設定されることがない（［００４９］）もの（Ｓ１０）とを具備する電子楽器（コンピュータ）〔請求項１〕が提供され、複数の鍵（Ｃ１〜Ｃ６）から成る鍵盤（１４）及び第１乃至第３の操作手段（ＤＲｗ，ＤＲｓ，ＤＲｅ）を具備し電子楽器として機能するコンピュータに、１つの音色について〔第１ピアノ音色、ドラム音色など（［００４１］）〕鍵盤（１４）に対する波形データの割当て状態（Ａｗ）を表わす波形割当て画面（Ｗｅ）を表示する画面表示ステップ（Ｓ０）と、波形割当て画面（Ｗｅ）の表示に対応して第１乃至第３の操作手段（ＤＲｗ，ＤＲｓ，ＤＲｅ）によるモード設定操作を可能とする操作可能化ステップ（Ｓ０）と、第１の操作手段（ＤＲｗ）の操作に応じて波形選択モードを設定する波形選択モード設定ステップ（Ｓ４）と、波形選択モードにおける鍵盤（１４）の鍵操作に応じて、操作された鍵に割り当てられている波形データを割当て編集対象として選択し（Ｓｅ１）、選択された波形データの割当て状態を編集可能とする波形選択ステップ（Ｓ１０）と、第２の操作手段（ＤＲｓ）の操作に応じて最低鍵選択モード（スタートキー選択モード）を設定する最低鍵選択モード設定ステップ（Ｓ６）と、第３の操作手段（ＤＲｅ）の操作に応じて最高鍵選択モード（エンドキー選択モード）を設定する最高鍵選択モード設定ステップ（Ｓ８）と、最低鍵選択モード或いは最高鍵選択モードにおける鍵盤（１４）の鍵操作に応じて、それぞれ、操作された鍵を、選択中の波形データが割り当てられている鍵域の最低音高鍵（スタートキー）或いは最高音高鍵（エンドキー）に設定する鍵域設定ステップ（Ｓ１０）であって、当該最低音高鍵（スタートキー）或いは最高音高鍵（エンドキー）は、他の波形データについて既に設定されている鍵域（スタートキー〜エンドキーの範囲）には重複して設定されることがない（［００４９］）もの（Ｓ１０）とから成る手順を実行させる波形割当てプログラム〔請求項３〕が提供される。なお、括弧書きは、理解の便のために付記した実施例の対応する参照記号等を表わす。
【手続補正４】
【補正対象書類名】明細書
【補正対象項目名】０００９
【補正方法】変更
【補正の内容】
【０００９】
この発明による電子楽器（コンピュータ）では、１つの音色（第１ピアノ音色、ドラム音色など）について、鍵盤（１４）の１乃至複数の鍵から成る鍵域に対する波形データの割当ての編集を行う際に、波形データの割当て状態（Ａｗ）を画面（Ｗｅ）に表示し、この波形データ割当て状態（Ａｗ）の表示に対応して、第１乃至第３の操作手段（ＤＲｗ，ＤＲｓ，ＤＲｅ）によるモード設定操作が可能となる（Ｓ０）。ここで、第１の操作手段（ＤＲｗ）のユーザ操作に応じて波形選択モードが設定され（Ｓ４）、この波形選択モードにおいて鍵盤（１４）の鍵操作がなされると、当該操作鍵に割り当てられている波形データが選択され（Ｓｅ１）、選択された波形データの割当て状態が編集可能となる（Ｓ１０）。また、第２或いは第３の操作手段（ＤＲｓ，ＤＲｅ）のユーザ操作に応じて最低鍵選択モード（スタートキー選択モード）或いは最高鍵選択モード（エンドキー選択モード）が設定され（Ｓ６，Ｓ８）、最低鍵或いは最高鍵選択モード（スタートキー或いはエンドキー選択モード）において鍵盤（１４）の鍵操作がなされると、それぞれ、当該操作鍵が、現在選択中の波形データに関する鍵域の最低音高鍵（スタートキー）或いは最高音高鍵（エンドキー）に設定され、その際、他の波形データについて既に設定されている鍵域（スタートキー〜エンドキーの範囲）には重複して設定することができない（Ｓ１０，［００４９］）。
【手続補正５】
【補正対象書類名】明細書
【補正対象項目名】００１０
【補正方法】変更
【補正の内容】
【００１０】
つまり、この発明によると、１つの音色（第１ピアノ音色、ドラム音色など）について波形データの割当て編集を行う際、第１の操作手段（ＤＲｗ）の操作に基づく波形選択モードにおいて、鍵盤の任意の鍵を操作すると、当該操作鍵に割り当てられている波形データを選択状態とするようにしているので、鍵盤の各鍵に割り当てられている目的の波形データを割当て編集の対象として簡単に選択することができる共に、選択状態にある波形データについては、割当て状態を変更したり割当て対象から消去したり等の編集作業が行うことができる。特に、割当て状態の変更については、第２或いは第３の操作手段（ＤＲｓ，ＤＲｅ）の操作に基づく最低鍵或いは最高鍵選択モード（スタートキー或いはエンドキー選択モード）において鍵操作を行うだけで、容易に、当該操作鍵を現在選択中の波形データに関する鍵域の最低音高鍵（スタートキー）或いは最高音高鍵（エンドキー）に設定することができる。また、その際、他の波形データについて既に設定されている鍵域（スタートキー〜エンドキーの範囲）には重複して設定することができない。